(57)【要約】【課題】熱交換器の区画壁の損傷を抑制することができる。【解決手段】炭化ケイ素粒子、有機バインダー、及び分散媒を含有する混合物を成形して複数のガス流通路を有する成形体を得る成形工程と、複数の成形体間に層間材を配置して熱媒体流通路Ｒ２を形成する熱媒体流通路形成工程と、層間材が配置された成形体を脱脂して脱脂体３０を得る脱脂工程と、脱脂体３０に金属ケイ素を含浸させる含浸工程とを有する。【選択図】図４
2019158239.tif 000002
【特許請求の範囲】
【請求項１】
筒状の周壁と、前記周壁の内部を、複数のガス流通路と複数の熱媒体流通路に区画する区画壁とを備え、前記ガス流通路を流通するガスと、前記熱媒体流通路を流通する液状の熱媒体との間で熱交換が行われる熱交換器の製造方法であって、
炭化ケイ素粒子、有機バインダー、及び分散媒を含有する混合物を成形して複数の前記ガス流通路を有する成形体を得る成形工程と、
複数の前記成形体間に層間材を配置して前記熱媒体流通路を形成する熱媒体流通路形成工程と、
前記層間材が配置された成形体を脱脂して脱脂体を得る脱脂工程と、
前記脱脂体に金属ケイ素を含浸させる含浸工程とを有することを特徴とする熱交換器の製造方法。
【請求項２】
前記層間材は、前記成形体と同じ原料を用いて形成される請求項１に記載の熱交換器の製造方法。
【請求項３】
前記層間材の厚さを、前記ガス流通路の流路幅に対して、０．５〜２．０倍とする請求項１又は２に記載の熱交換器の製造方法。
【請求項４】
前記脱脂工程と前記含浸工程を連続的に行う請求項１〜３のいずれか一項に記載の熱交換器の製造方法。
【発明の詳細な説明】
【技術分野】
【０００１】
本発明は、熱交換器の製造方法に関する。
【背景技術】
【０００２】
特許文献１には、熱交換器について記載されている。
図１５（ａ）に示すように、熱交換器５０は、矩形筒状の周壁５１と、周壁５１の内部を周壁５１の軸方向に延びる複数の第１セル及び第２セル５３に区画する区画壁とを備えたハニカム形状に構成されている。周壁５１の軸方向に直交する断面において、第１セル及び第２セル５３はそれぞれ、縦方向に列をなすように配置されている。具体的には、図１５（ａ）の紙面左側から１列目、３列目、５列目及び７列目に第１セルが配置され、２列目、４列目、６列目及び８列目に第２セル５３が配置されている。
【０００３】
図１５（ｂ）に示すように、第１セル５２の両端部は封止されているとともに、周壁５１の同一面上の一端側と他端側とにおいて、周壁５１から区画壁５４に連続した開口５５、５６が形成されている。周壁５１の一端側の開口５５から流入した流体が、矢印Ｍに沿って複数の第１セル５２内を流れつつ、周壁５１の他端側の開口５６から流出することができるように構成されている。
【０００４】
図１５（ｃ）に示すように、第２セル５３の両端部は開放されており、第２セル５３の一端側から他端側へ矢印Ｇに沿って流体を流すことができるように構成されている。
第１セル５２を流通する第１の流体と、第２セル５３を流通する第２の流体との間で熱交換が行われるように構成されている。
【先行技術文献】
【特許文献】
【０００５】
【特許文献１】特開２０１５−１４０２７３号公報
【発明の概要】
【発明が解決しようとする課題】
【０００６】
ところで、特許文献１の熱交換器５０は、第１の流体が流通する流路内に、第１セル５２を区画する区画壁５４が複数存在しているため、第１の流体として液状の熱媒体を用いると、液状の熱媒体が第１セル５２の内部に滞留しやすい。第１セル５２の内部に熱媒体が滞留した熱交換器５０を、熱媒体が凍結する条件に曝した場合、凍結による熱媒体の体積膨張の圧力によって、第１セル５２を区画する区画壁５４が損傷する虞があった。本発明は、こうした事情に鑑みてなされたものであり、その目的は、液状の熱媒体の凍結に起因する区画壁の損傷が抑制された熱交換器の製造方法を提供することにある。
【課題を解決するための手段】
【０００７】
上記課題を解決するための本発明の熱交換器の製造方法は、筒状の周壁と、上記周壁の内部を、複数のガス流通路と複数の熱媒体流通路に区画する区画壁とを備え、上記ガス流通路を流通するガスと、上記熱媒体流通路を流通する液状の熱媒体との間で熱交換が行われる熱交換器の製造方法であって、炭化ケイ素粒子、有機バインダー、及び分散媒を含有する混合物を成形して複数の上記ガス流通路を有する成形体を得る成形工程と、複数の上記成形体間に層間材を配置して上記熱媒体流通路を形成する熱媒体流通路形成工程と、上記層間材が配置された成形体を脱脂して脱脂体を得る脱脂工程と、上記脱脂体に金属ケイ素を含浸させる含浸工程とを有することを要旨とする。
【０００８】
上記構成によれば、複数の成形体間に熱媒体流通路を形成することができるため、図１５に示す従来の熱交換器のように、セルの内部に熱媒体が滞留することが回避される。これにより、内部に滞留した熱媒体の凍結による膨張圧力で区画壁が損傷することを抑制することができる。
【０００９】
本発明の熱交換器の製造方法について、上記層間材は、上記成形体と同じ原料を用いて形成されることが好ましい。この構成によれば、層間材と成形体を均質にすることができるため、層間材と成形体を好適に一体化することができる。
【００１０】
本発明の熱交換器の製造方法について、上記層間材の厚さを、上記ガス流通路の流路幅に対して、０．５〜２．０倍とすることが好ましい。この構成によれば、熱媒体流通路の流路断面積を、ガス流通路の流路断面積に対して好適なものとすることが容易になり、熱交換効率が向上する。
【００１１】
本発明の熱交換器の製造方法について、上記脱脂工程と上記含浸工程を連続的に行うことが好ましい。この構成によれば、脱脂工程と含浸工程を別々の工程で行う態様と比較して、熱交換器の生産効率を向上させることができる。
【発明の効果】
【００１２】
本発明によれば、熱交換器の区画壁の損傷を抑制することができる。
【図面の簡単な説明】
【００１３】
【図１】熱交換器の斜視図。
【図２】（ａ）は、図１の２ａ−２ａ線断面図、（ｂ）は、図１の２ｂ−２ｂ線断面図。
【図３】図１の３−３線断面図。
【図４】図１の４−４線断面図。
【図５】成形体の斜視図。
【図６】熱媒体流通路形成工程の説明図。
【図７】熱媒体流通路形成工程の説明図。
【図８】脱脂工程の説明図。
【図９】含浸工程の説明図。
【図１０】容器内に成形体を配置した状態を示す説明図。
【図１１】容器内の温度変化を示すグラフ。
【図１２】変更例の熱交換器の斜視図。
【図１３】変更例の熱交換器の断面図。
【図１４】変更例の熱交換器の断面図。
【図１５】（ａ）は、従来技術の熱交換器の斜視図、（ｂ）は、（ａ）のｂ−ｂ線断面図、（ｃ）は（ａ）のｃ−ｃ線断面図。
【発明を実施するための形態】
【００１４】
以下、熱交換器の一実施形態を説明する。
図１、３、４に示すように、本実施形態の熱交換器１０は、矩形筒状の周壁１１と、周壁１１の内部を複数のガス流通路Ｒ１と複数の熱媒体流通路Ｒ２に区画する区画壁１２とを備えている。
【００１５】
図２に示すように、矩形筒状の周壁１１は、上下に対向する一対の横側壁１１ａと、左右に対向する一対の縦側壁１１ｂとを有し、周壁１１の軸方向に直交する断面形状が横長の長方形をなすように構成されている。以下では、「周壁１１の軸方向」を単に「軸方向」と記載する。
【００１６】
図２、３に示すように、区画壁１２は、横側壁１１ａに平行な第１区画壁１２ａと、第１区画壁１２ａ同士を接続するとともに、縦側壁１１ｂに平行な第２区画壁１２ｂとを備える。また、図２、４に示すように、区画壁１２は、所定の隣り合う第２区画壁１２ｂ同士の間を部分的に接続するように配置され、縦側壁１１ｂに平行な第３区画壁１２ｃを備える。
【００１７】
図２、３に示すように、周壁１１の内部には、第１区画壁１２ａと第２区画壁１２ｂとによって、軸方向に延びる複数のガス流通セルＣが形成されている。ガス流通セルＣは、ガス流通路Ｒ１を構成する。
【００１８】
図２、４に示すように、周壁１１の内部には、第２区画壁１２ｂと第３区画壁１２ｃとによって、一対の熱媒体の流入路１４ａと流出路１４ｂが軸方向に並ぶように形成されている。また、周壁１１の内部には、軸方向に延びる連通路１３が形成されている。流入路１４ａと流出路１４ｂは、一端側が周壁１１に開口するとともに、他端側が連通路１３に連通するように構成されている。
【００１９】
流入路１４ａ、流出路１４ｂ、及び連通路１３は、熱媒体流通路Ｒ２を構成する。したがって、流入路１４ａの周壁１１に開口する端部は、熱媒体流通路Ｒ２の流入口１５ａとなるとともに、流出路１４ｂの周壁１１に開口する端部は、熱媒体流通路Ｒ２の流出口１５ｂとなる。図１に示すように、本実施形態においては、３組の流入路１４ａ及び流出路１４ｂが軸方向に直交する方向に並ぶように形成されている。
【００２０】
図２に示すように、第３区画壁１２ｃの厚さＴは、第１区画壁１２ａ及び第２区画壁１２ｂよりも厚く構成され、ガス流通セルＣの幅方向（図中左右方向）の寸法と略等しくなるように構成されている。ここで、第３区画壁１２ｃの厚さＴとは、ガス流通セルＣの幅方向における第３区画壁１２ｃの寸法を意味するものとする。第３区画壁１２ｃの厚さＴは、ガス流通セルＣの幅方向の寸法（流路幅）に対して、０．５〜２．０倍であることが好ましい。なお、第１区画壁１２ａ及び第２区画壁１２ｂの厚さは、例えば、０．１〜０．５ｍｍであり、第３区画壁１２ｃの厚さＴは、例えば、０．５〜４．０ｍｍである。また、第３区画壁１２ｃの厚さＴは、ガス流通セルＣの幅方向（図中左右方向）における、流入路１４ａ及び流出路１４ｂの寸法Ｕと等しくなるように構成される。
【００２１】
熱交換器１０を構成する材料は炭化ケイ素であることが好ましい。炭化ケイ素を主成分として含む材料は、他のセラミック材料に比べて熱伝導率が高く、熱交換効率を高くすることができるため好ましい。ここで、「主成分」とは、５０質量％以上を意味するものとする。炭化ケイ素を主成分として含む材料としては、例えば、炭化ケイ素の粒子と金属ケイ素を含む材料が挙げられる。
【００２２】
次に、ガス流通セルＣ（ガス流通路Ｒ１）について説明する。
図３に示すように、ガス流通セルＣは、両端部が共に開放され、処理対象のガスを軸方向に沿って流通させることができるように構成されている。ガス流通セルＣは、周壁１１の縦側壁１１ｂに平行にガス流通セルＣが８個配列したセル列Ｃａを備える。図２では、このセル列は、周壁１１の横側壁１１ａに沿って４列設けられている。図２（ａ）、４に示すように、４列のセル列Ｃａの隣に３個の第３区画壁１２ｃが配置されている。また、図２（ｂ）、４に示すように、４列のセル列の隣であって、軸方向における第３区画壁１２ｃ同士の間に熱媒体の流入路１４ａ、流出路１４ｂ及び連通路１３が配置されている。そして、これらの配置が繰り返された配置パターンが形成されている。
【００２３】
ガス流通セルＣを流通させる処理対象のガスとしては、例えば、内燃機関の排気ガスが挙げられる。ガス流通セルＣのセル構造は特に限定されるものではないが、例えば、第１区画壁１２ａ及び第２区画壁１２ｂの壁厚が０．１〜０．５ｍｍであり、セル密度が、周壁１１の軸方向に直交する断面１ｃｍ２あたり１５〜９３セルであるセル構造とすることができる。
【００２４】
次に、熱媒体流通路Ｒ２について説明する。
図４に示すように、熱媒体流通路Ｒ２は、周壁１１に開口する流入口１５ａを有する流入路１４ａと、周壁１１に開口する流出口１５ｂを有する流出路１４ｂと、流入路１４ａ及び流出路１４ｂにおける流入口１５ａ及び流出口１５ｂと反対側の端部に連通される連通路１３とを備えている。流入路１４ａ及び流出路１４ｂは、軸方向における中央に配置される第３区画壁１２ｃを挟んで軸方向に並設されている。また、流入路１４ａ及び流出路１４ｂは、軸方向に直交する方向において、互いに平行に延びるように形成されている。
【００２５】
図２（ｂ）に示すように、ガス流通セルＣの幅方向（図中左右方向）において、連通路１３の両側にガス流通セルＣが設けられ、連通路１３はガス流通セルＣに隣接している。流入路１４ａ及び流出路１４ｂの流路断面積は、ガス流通セルＣの流路断面積よりも大きくなるように構成されている。また、連通路１３の流路断面積は、ガス流通セルＣの流路断面積よりも大きくなるように構成されている。ここで、流路断面積とは、流路の延びる方向に直交する断面積を意味するものとする。
【００２６】
図２（ｂ）、４に示すように、熱交換器１０に供給された熱媒体は、周壁１１に開口する流入口１５ａから熱交換器１０内に流入し、流入路１４ａを通って連通路１３へと流通する。連通路１３へ流通した熱媒体は、軸方向に沿って流入路１４ａ側から流出口１５ｂ側へと流れる。そして、流出路１４ｂを通って、周壁１１に開口する流出口１５ｂから熱交換器１０外へ流出する。流入路１４ａと流出路１４ｂとにおいて、熱媒体は互いに逆方向に流通する。
【００２７】
熱媒体流通路Ｒ２を流通する熱媒体としては、例えば、公知の液状の熱媒体を用いることができる。公知の熱媒体としては、例えば、冷却水（Ｌｏｎｇ  Ｌｉｆｅ  Ｃｏｏｌａｎｔ：ＬＬＣ）や、エチレングリコール等の有機溶剤が挙げられる。
【００２８】
上記構成の熱交換器１０は、ガス流通セルＣを流れるガスと、熱媒体流通路Ｒ２を流れる熱媒体との間で、区画壁１２を介して熱交換を行うことができる。また、熱媒体流通路Ｒ２の連通路１３を流通する熱媒体と、連通路１３に隣接するガス流通セルＣを流通するガスとの間においても区画壁１２を介して熱交換を行うことができるように構成されている。
【００２９】
図５〜１１に基づいて、熱交換器１０の一製造方法について説明する。
熱交換器１０は、以下に記載する成形工程、熱媒体流通路形成工程、脱脂工程、含浸工程を順に経ることにより製造される。
【００３０】
（成形工程）
熱交換器の成形に用いる原料として、炭化ケイ素粒子と、有機バインダーと、分散媒とを含有する粘土状の混合物を調製する。
【００３１】
有機バインダーとしては、例えば、ポリビニルアルコール、メチルセルロース、エチルセルロース、カルボキシメチルセルロースが挙げられる。これらの有機バインダーの中でも、メチルセルロース、カルボキシメチルセルロースが特に好ましい。また、上記の有機バインダーのうちの一種のみを用いてもよいし、二種以上を併用してもよい。
【００３２】
分散媒としては、例えば、水、有機溶剤が挙げられる。有機溶剤としては、例えば、エタノールが挙げられる。また、上記の分散媒のうちの一種のみを用いてもよいし、二種以上を併用してもよい。
【００３３】
また、混合物中にその他の成分を更に含有させてもよい。その他の成分としては、例えば、炭化ケイ素以外の材質からなるセラミック粒子、可塑剤、潤滑剤が挙げられる。炭化ケイ素以外の材質からなるセラミック粒子としては、炭化タンタル、炭化タングステン等の炭化物、窒化アルミニウム、窒化ケイ素、窒化ホウ素等の窒化物からなるセラミック粒子が挙げられる。可塑剤としては、例えば、ポリオキシエチレンアルキルエーテル、ポリオキシプロピレンアルキルエーテル等のポリオキシアルキレン系化合物が挙げられる。潤滑剤としては、例えば、グリセリンが挙げられる。
【００３４】
図５に示すように、この粘土状の混合物を用いて、ガス流通セルＣが縦方向に８個配列したセル列を備え、このセル列が横方向に４列設けられた矩形筒状の成形体（第１成形体２０）を成形する。
【００３５】
必要に応じて、得られた第１成形体２０に対して乾燥処理を行う。乾燥処理の具体的方法としては、例えば、マイクロ波乾燥機、熱風乾燥機、誘電乾燥機、減圧乾燥機、真空乾燥機、凍結乾燥機等を用いた乾燥処理が挙げられる。
【００３６】
（熱媒体流通路形成工程）
熱媒体流通路形成工程は、成形工程で得られた複数の成形体間に層間材を用いて熱媒体流通路を形成する工程である。
【００３７】
図６に示すように、第１成形体２０の側面におけるガス流通セルＣの延びる方向の両端部、及び、第１成形体２０の側面における下端部に、層間材２１として第１成形体２０の原料と同じ粘土状の混合物を塗布する。層間材２１は、開放部が上方を向いたコ字状に塗布される。また、第１成形体２０の側面における中央部にも、側面の上端部から下方に延びるように層間材２２を塗布する。層間材２１、２２を塗布した第１成形体２０は、必要に応じて乾燥処理を行う。層間材２１、２２の厚さは、特に限定されないが、ガス流通セルＣの流路幅に対して、０．５〜２．０倍であることが好ましい。
【００３８】
図７に示すように、層間材２１、２２を塗布した第１成形体２０を重ね合わせることにより、４個の第１成形体２０の間に、層間材２１、２２が配置された成形体（第２成形体２３）を作成する。層間材２１、２２は、後の工程を経て第３区画壁を構成する。ここで、第１成形体２０の側面に層間材２１、２２を塗布する方法に代えて、予め、層間材２１、２２をコ字状等の形状に成形した後、複数の第１成形体２０間に配置してもよい。
【００３９】
（脱脂工程及び含浸工程）
脱脂工程は、第２成形体２３を加熱することによって、第２成形体２３に含まれる有機バインダーを焼失させる工程である。図８に示すように、脱脂工程を経ることにより、炭化ケイ素粒子同士が接触した状態で配置された骨格部分を有する多孔質の脱脂体３０が得られる。
【００４０】
含浸工程は、脱脂体３０の各壁の内部に金属ケイ素を含浸させる工程である。図９に示すように、含浸工程を経ることにより、脱脂体３０の各壁を構成する炭化ケイ素粒子の隙間に金属ケイ素が充填される。そして、筒状の周壁１１と、周壁１１の内部を複数のガス流通路Ｒ１（ガス流通セルＣ）と、複数の熱媒体流通路Ｒ２に区画する区画壁１２とを備える熱交換器１０が得られる。そして、流入路１４ａにおける流入口１５ａ側とは反対側の端部、及び、流出路１４ｂにおける流出口１５ｂ側とは反対側の端部に、流入路１４ａと流出路１４ｂを連結する連通路１３を備える構成となる。
【００４１】
ここで、本実施形態の製造方法では、脱脂工程及び含浸工程を、異なる温度域による多段階の加熱処理によって連続的に行う。
図１０に示すように、グラファイト等からなる有底箱状の耐熱性の容器４０内に第２成形体２３を配置する。図１０では、第２成形体２３について、その断面形状を省略して図示している。第２成形体２３は、容器４０の底面に配置された支持具４１の上に載置されることにより、支持具４１を介して容器４０内に配置される。支持具４１は、第２成形体２３の下面の一部のみに接触する大きさ及び形状に形成されており、第２成形体２３の下面の一点又は数点において第２成形体２３を支持する。支持具４１の数は単数であってもよいし、複数であってもよい。
【００４２】
支持具４１の形状としては、例えば、角柱状、円柱状、角錐台状、円錐台状が挙げられる。これらの中でも、第２成形体２３の下面との接点を少なくできる点から、角錐台状、円錐台状が特に好ましい。
【００４３】
支持具４１は、毛細管現象を生じさせる程度の大きさの連続した気孔を有する多孔質材により構成される。支持具４１を構成する多孔質材としては、例えば、炭化ケイ素からなる多孔質材、黒鉛等の炭素からなる多孔質材が挙げられる。支持具４１を構成する多孔質材の気孔率は、例えば、２０〜６０％である。
【００４４】
また、容器４０の底面と支持具４１に載置された第２成形体２３との間の隙間Ｓに粉末状、粒状、塊状等の固体状の金属ケイ素４２を配置する。金属ケイ素４２としては、その純度が９８％未満の金属ケイ素を用いることが好ましい。固体状の金属ケイ素は、その純度が低くなるにしたがって融点が低くなる傾向がある。そのため、低純度の金属ケイ素を用いることにより、含浸工程に要する加熱温度を低く抑えることができる。その結果、製造コストを抑制することができる。なお、金属ケイ素の純度は、例えば、９５％以上である。
【００４５】
容器４０内に収容される金属ケイ素４２の量は、例えば、第２成形体２３から得られる脱脂体３０の気孔容積と支持具４１の気孔容積の和に相当する量（例えば、上記和の１．００〜１．０５倍の体積に相当する量）とする。この場合には、熱交換器１０の気孔率を０％に近づけることができる。また、金属ケイ素４２の使用量が抑えられて、製造コストを抑制することができる。
【００４６】
上記のように、容器４０内に第２成形体２３及び金属ケイ素４２を配置した状態として、焼成炉等の公知の加熱手段を用いて、アルゴンや窒素等の不活性雰囲気下又は真空下にて容器４０を加熱する。このとき、容器４０に対して異なる温度域による多段階の加熱を行う。
【００４７】
具体的には、図１１に示すように、容器４０内の温度を、第１温度まで昇温させ、第１温度にて一定時間、保持することにより一次加熱を行う。その後、容器４０内の温度を、第１温度よりも高い第２温度まで昇温させ、一定時間、保持することにより二次加熱を行う。その後、容器４０内の温度を降下させる。
【００４８】
一次加熱は、脱脂工程に相当する加熱処理である。一次加熱の第１温度は、有機バインダーが焼失する温度かつ金属ケイ素の融点未満の温度であり、第２成形体２３に含まれる有機バインダーの種類に応じて設定される。一次加熱により、第２成形体２３に含まれる有機バインダーが焼失して、第２成形体２３は脱脂体３０となる。このとき、容器４０内の温度（第１温度）は、金属ケイ素の融点未満の温度であるため、容器４０内に収容された金属ケイ素４２は、固体の状態が維持される。
【００４９】
第１温度は、例えば、４００℃以上１４００℃以下の温度であることが好ましく、４５０℃以上１０００℃以下の温度であることがより好ましい。上記温度範囲に設定することにより、金属ケイ素４２の溶融を抑制しつつ、有機バインダーをより確実に焼失させることができる。
【００５０】
一次加熱は、第２成形体２３に含まれる有機バインダーが完全に除去されるまで行うことが好ましい。例えば、事前の予備試験により、第２成形体２３に含まれる有機バインダーが除去された状態の脱脂体３０となる加熱時間を測定しておき、その加熱時間の経過をもって、容器４０内の温度を第１温度から第２温度に昇温する。
【００５１】
二次加熱は、含浸工程に相当する加熱処理である。二次加熱の第２温度は、金属ケイ素の融点以上に設定される。二次加熱により、容器４０内に収容された金属ケイ素４２が溶融する。そして、溶融した金属ケイ素は、毛細管現象によって、多孔質材からなる支持具４１を通じて脱脂体３０の各壁を構成する炭化ケイ素粒子の隙間に入り込み、その隙間に金属ケイ素４２が含浸される。このとき、脱脂体３０における第１成形体２０及び層間材２１、２２間の境界部分にも金属ケイ素４２が含浸されることにより、第１成形体２０及び層間材２１、２２間の境界部分は消失する。これにより、各壁を構成する炭化ケイ素粒子の隙間に金属ケイ素４２が含浸されており、複数の第１成形体２０及び層間材２１、２２が一体化してなる熱交換器１０が得られる。
【００５２】
第２温度は、例えば、１４２０℃以上の温度であることが好ましい。上記温度範囲に設定することにより、金属ケイ素をより確実に含浸させることができる。
また、第２温度は、例えば、２０００℃以下の温度であることが好ましく、１９００℃以下の温度であることがより好ましい。上記温度範囲に設定することにより、設備やエネルギー等の観点において、製造コストを抑制することができる。さらに、脱脂体の熱膨張が抑制されて、熱膨張に起因する破損が生じ難くなる。
【００５３】
また、第２温度は、成形工程に用いた混合物に含まれる炭化ケイ素の焼結温度未満（例えば、２０００℃以下）の温度であることが好ましい。上記温度範囲に設定することにより、得られる熱交換器１０は、その構成成分である炭化ケイ素粒子の殆どが焼結されずに、それぞれ独立して存在する未焼結のハニカム構造体となる。この未焼結のハニカム構造体は、ヤング率が高く、変形し難い性質を有しており、熱交換器として有用である。
【００５４】
二次加熱は、脱脂体３０の各壁を構成する炭化ケイ素粒子の隙間に金属ケイ素が十分に含浸されるまで行うことが好ましい。例えば、容器４０内に収容される金属ケイ素４２の量が、脱脂体３０の気孔容積と支持具４１の気孔容積の和に相当する量である場合には、全ての金属ケイ素４２が含浸されたことをもって、金属ケイ素が十分に含浸されたと判断することができる。
【００５５】
そして、二次加熱の後は、容器４０内の温度を降下させ、容器４０から熱交換器１０を取り出し、熱交換器１０の下面に一体化している支持具４１を分離する。これにより、熱交換器１０が得られる。
【００５６】
上記の含浸工程を経ることにより、筒状の周壁１１と、周壁１１の内部を複数のガス流通セルＣと、複数の熱媒体流通路Ｒ２に区画する区画壁１２とを備える熱交換器１０が得られる。そして、流入路１４ａにおける流入口１５ａ側とは反対側の端部、及び、流出路１４ｂにおける流出口１５ｂ側とは反対側の端部に、流入路１４ａと流出路１４ｂを連結する連通路１３を備える構成となる。
【００５７】
次に、本実施形態の作用及び効果について記載する。
（１）炭化ケイ素粒子、有機バインダー、及び分散媒を含有する混合物を成形して複数のガス流通路を有する成形体を得る成形工程と、複数の成形体間に層間材を配置して熱媒体流通路を形成する熱媒体流通路形成工程と、層間材が配置された成形体を脱脂して脱脂体を得る脱脂工程と、脱脂体に金属ケイ素を含浸させる含浸工程とを有する。
【００５８】
複数の成形体間に熱媒体流通路を形成することができるため、図１５に示す従来の熱交換器のように、セルの内部に熱媒体が滞留することが回避される。したがって、内部に滞留した熱媒体の凍結による膨張圧力で区画壁が損傷することを抑制することができる。
【００５９】
（２）複数の成形体間に層間材を配置することによって熱媒体流通路を形成している。したがって、層間材の形状によって、熱媒体流通路の形状を適宜選択することができるため、所望の形状を有する熱媒体流通路を作成することが容易になる。また、熱媒体流通路の表面の凹凸を低減することができるため、熱媒体の流通抵抗を低減することが可能になる。
【００６０】
（３）層間材は、成形体と同じ原料を用いて形成される。したがって、層間材と成形体を均質にすることができるため、層間材と成形体を好適に一体化することができる。
（４）層間材の厚さは、ガス流通路の流路幅に対して、０．５〜２．０倍である。したがって、熱媒体流通路の流路断面積を、ガス流通路の流路断面積に対して好適なものとすることが容易になる。
【００６１】
（５）脱脂工程と含浸工程を連続的に行う。したがって、脱脂工程と含浸工程を別々の工程で行う態様と比較して、熱交換器の生産効率を向上させることができる。
（６）区画壁は、炭化ケイ素を主成分として含む。炭化ケイ素は、セラミック材料の中でも熱伝導が高い材料であるため、区画壁間の熱伝導を高くすることができる。したがって、熱交換効率が向上する。
【００６２】
（７）ガス流通セルの幅方向において、熱媒体流通路の連通路はガス流通セルに隣接している。これにより、熱媒体流通路の連通路を流通する熱媒体と、連通路に隣接するガス流通セルを流通するガスとの間においても区画壁を介して熱交換を行うことができる。したがって、ガス流通路と熱媒体流通路との間で効率良く熱交換を行うことが可能になる。
【００６３】
本実施形態は、次のように変更して実施することも可能である。また、上記実施形態の構成や以下の変更例に示す構成を適宜組み合わせて実施することも可能である。
・本実施形態では、熱交換器は、周壁の軸方向における寸法が、周壁の軸方向に直交する方向における寸法よりも長く構成されていたが、この態様に限定されない。周壁の軸方向における寸法が、周壁の軸方向に直交する方向における寸法よりも短く構成されていてもよいし、同じ長さに構成されていてもよい。
【００６４】
・本実施形態では、周壁における軸方向の一端側の開口を熱媒体の流入口とし、周壁における軸方向の他端側の開口を熱媒体の流出口としたがこの態様に限定されない。流入口と流出口の位置が逆となるように構成されていてもよい。また、周壁に設けられた複数の開口において、熱媒体の流入口及び流出口を適宜選択してもよい。
【００６５】
・連通路の流路断面積は、ガス流通セルの流路断面積よりも大きく構成されている態様に限定されない。連通路を流通する熱媒体の流量を確保することができる範囲において、連通路の流路断面積は、ガス流通セルの流路断面積と略等しく構成されていてもよいし、ガス流通セルの流路断面積よりも小さく構成されていてもよい。
【００６６】
・熱媒体の流入路と流出路の流路断面積は、ガス流通セルの流路断面積よりも大きく構成された態様に限定されない。流入路と流出路を流通する熱媒体の流量を確保することができる範囲において、熱媒体の流入路と流出路の流路断面積は、ガス流通セルの流路断面積と略等しく構成されていてもよいし、ガス流通セルの流路断面積よりも小さく構成されていてもよい。
【００６７】
・周壁は、矩形筒状に限定されない。円筒状や、断面が楕円形の筒状に構成されていてもよい。図１２に示すように、例えば、第２成形体の形状を、熱媒体流通路形成工程で円筒状となるように形成することにより、周壁１１ｃを円筒状にすることが可能となる。また、ガス流通セル及び熱媒体流通路の断面形状は断面矩形状に限定されない。矩形状以外の多角形状であってもよいし、円形や楕円形であってもよい。多角形状の角部が面取りされた形状であってもよい。熱媒体流通路の流入路と流出路とで形状が異なっていてもよい。
【００６８】
・ガス流通セルは、周壁の縦側壁に平行にガス流通セルが８個配列し、このセル列が、周壁の横側壁に沿って４列設けられ配置パターンに限定されない。ガス流通セルの配置パターンは、適宜選択することができる。熱媒体流通路の配置パターンも同様に適宜選択することができる。
【００６９】
・熱媒体流通路は、流入路及び流出路が、周壁の軸方向に直交する方向において、互いに平行に延びるように形成された態様に限定されない。流入路及び流出路の形状は、第３区画壁の形状を変更することにより、適宜選択することができる。例えば、図１３に示すように、流入路１６ａ及び流出路１６ｂがＶ字状に延びるように形成してもよい。
【００７０】
・熱媒体流通路は、流入路及び流出路が、周壁の同一面に開口した態様に限定されない。流入路及び流出路が、周壁の異なる面に開口した態様であってもよく、例えば、図１４に示すように、流入口１７ａと流出口１７ｂとが、周壁の上下方向の対向する面に開口するように設けられていてもよい。
【００７１】
・第３区画壁は、第１区画壁及び第２区画壁と異なる材料で構成されていてもよい。すなわち、熱媒体流通路形成工程において、成形体の側面に成形体の原料とは異なる材料からなる粘土状の混合物を塗布して第３区画壁を形成してもよい。
【００７２】
上述した実施形態やその変形例から把握できる技術的思想について、それらの効果とともに以下に記載する。
（イ）筒状の周壁と、前記周壁の内部を、複数のガス流通路と複数の熱媒体流通路に区画する区画壁とを備え、前記ガス流通路を流通するガスと、前記熱媒体流通路を流通する液状の熱媒体との間で熱交換が行われる熱交換器であって、前記熱媒体流通路は、前記周壁の軸方向に延びる連通路と、一端側が前記熱媒体の流入口として前記周壁に開口するとともに他端側が前記連通路に連通される流入路と、一端側が前記熱媒体の流出口として前記周壁に開口するとともに他端側が前記連通路に連通される流出路とを備え、前記流入路と流出路は前記区画壁を挟んで前記周壁の軸方向に並設されていることを特徴とする熱交換器。
【００７３】
（ロ）前記連通路の流路断面積は、前記ガス流通路の流路断面積よりも大きく構成されている熱交換器。
【符号の説明】
【００７４】
１０…熱交換器、１１…周壁、１２…区画壁、２０…第１成形体、２１…層間材、２２…層間材、２３…第２成形体、３０…脱脂体、Ｒ１…ガス流通路、Ｒ２…熱媒体流通路。
【図１】
2019158239.tif 000003
【図２】
2019158239.tif 000004
【図３】
2019158239.tif 000005
【図４】
2019158239.tif 000006
【図５】
2019158239.tif 000007
【図６】
2019158239.tif 000008
【図７】
2019158239.tif 000009
【図８】
2019158239.tif 000010
【図９】
2019158239.tif 000011
【図１０】
2019158239.tif 000012
【図１１】
2019158239.tif 000013
【図１２】
2019158239.tif 000014
【図１３】
2019158239.tif 000015
【図１４】
2019158239.tif 000016
【図１５】
2019158239.tif 000017